(57)【要約】【課題】自動予約された番組の縮小画面を、使用者が放送番組の視聴を開始したときに表示し、不要な番組は消去時期を設定できるようにした放送番組記録再生装置を提供する。【解決手段】表示装置の電源投入を電源検出手段９６により検出し、使用者により選択された受信チャンネルの映像信号を映像信号受信手段５１により得、その映像信号に、自動予約されて記録した番組を縮小画面に変換して重畳した重畳化映像信号を重畳信号生成手段７３により生成し、重畳化映像信号を、表示画面を切換える表示切換え信号と共に表示機に供給して重畳化映像信号を表示させ、リモコン９５を操作して不要な番組の消去時期を設定出来るようにした。【選択図】      図１
2004214853.tif 000002
【特許請求の範囲】
【請求項１】
番組の放送時刻及び番組の内容を記述した電子番組表中に予め設定した番組の内容に関するキーワードが一致する番組を検出したときには、その検出した番組を録画予約して録画を行う放送番組記録再生装置と、前記放送番組記録再生装置で録画した番組及び／又は現在受信中の放送番組の表示を行なうための表示装置とを有する放送番組の記録再生表示システムに用いられる放送番組の記録再生方法であり、
前記表示装置の電源投入を検出する第１のステップと、
前記第１のステップの後に前記放送番組記録再生装置で前記表示装置の受信チャンネルと同一の受信チャンネルで放送番組を受信する第２のステップと、
前記放送番組記録再生装置で受信している放送番組を前記表示装置の表示画面全体に表示させる映像信号を前記放送番組記録再生装置側から前記表示装置に供給する第３のステップと、
前記第３ステップの後、前記記録再生装置で録画し終わっている放送番組の先頭部分を再生する第４のステップと、
前記第４のステップの後、再生されている録画番組の先頭部分の画像を、前記表示装置の表示画面よりも小として前記第２のステップで受信している放送番組の表示画面上にサムネイル画像として表示させる映像信号を前記放送番組記録再生装置側から前記表示装置に供給する第５のステップとを有し、
前記表示装置の、直前の電源投入時から今回の電源投入直前までに前記放送番組記録再生装置に録画された番組をサムネイル画像として表示するようになすことを特徴とする放送番組の記録再生方法。
【発明の詳細な説明】
【０００１】
【発明の属する技術分野】
本発明は、番組録画機器に自動録画された番組内容を、利用者がテレビ電源投入して受信するテレビ受信映像に、サムネイル形式の小画面映像により通知する録画予約番組の表示に係り、特に録画番組を読み出すための煩雑な操作をすることなく、自動提示する放送番組の記録再生方法に関するものである。
【０００２】
【従来の技術】
従来より、ＶＴＲ及びハードディスクレコーダなどには記録開始時刻を設定して放送される番組を記録する番組予約記録の機能が搭載されている。それらの番組記録機器においてはユーザにより嗜好する番組が予約されて記録され、記録された番組はユーザの視聴時間が確保できるときに視聴できるなど、タイムシフトマシンとして用いられている。
【０００３】
そして、ハードディスクなどランダムアクセスが可能な記録媒体を用いる放送番組記録再生装置の場合では、所定の記録領域に複数の番組を記録できる。また、その記録された複数の番組は任意の希望する再生順番を指定して視聴することができる。従って、記録した番組の視聴もＶＴＲによる場合と異なり、番組ごとに記録媒体を交換する、ないしは早送り、巻き戻し、及び頭出し操作を行うことなく個別に記録した複数の番組を連続する番組のようにして再生することができるものである。
【０００４】
そのような便利な機能を有するハードディスクレコーダでは記録時間を長くすることができれば多くの番組を記録しておき、ユーザは希望する番組を希望するときに視聴することができるなど好適なビデオライブラリーとしての使用が出来る。ハードディスクはその記録容量も年々増加した長時間記録可能な番組記録装置として市場導入がなされつつある。
【０００５】
そして、番組記録装置への嗜好度合いの高い番組の記録は、番組表及び番組解説記事を基にして嗜好番組を探し当て、その番組の録画予約を行って記録する方法によってよく行なわれるが、そのような目視による嗜好番組の探し当ては煩雑であり、煩雑な作業は自動的に行えるのが望ましい。
【０００６】
そこで、電子番組表から嗜好する番組情報を自動的に得る方法として、電子番組表（ＥＰＧ）をインターネットなどの通信路を介して、又は多重されて放送される放送信号より得、その得られた番組の解説情報、及び出演者情報などを予め登録したキーワードを基に検索して希望する番組を探し当て、その探し当てられた番組を自動録画予約することにより、煩雑な録画予約のための設定操作を省くことができる（例えば、特許文献１参照。）。
【０００７】
そのようにしてなされる自動録画予約により録画された番組は、ユーザが設定して録画するのと異なり嗜好度の異なる多くの番組を含むこととなる。従ってユーザは、嗜好度合いの高い番組が録画されたときにはその番組の早い視聴を希望し、嗜好度合いの低い番組に対しては録画記録媒体の記録領域を確保するため、消去を行う。
【０００８】
そこで、番組の嗜好度を判断させるため、録画された番組の一覧をユーザに提示できれば、視聴及び消去を早期に行うことが出来、録画記録媒体を有効に活用した番組の自動予約録画を行うことが出来る。
【０００９】
そして、録画された番組の提示方法として、記録した映像信号データを制御情報と共に記録再生するに際し、縮図制御情報を用いて録画した映像信号の縮小画像を生成し、メニュー画面として表示する方法がある（例えば、特許文献２参照。）。
【００１０】
従って、ユーザの嗜好番組をインターネット上の検索システムより得て自動予約録画を行ない、嗜好度の高い番組を視聴する場合は、録画された番組のメニュー画面を参照しつつ選択して再生することが可能となる。
【００１１】
【特許文献１】
特開２００１−２６８４８８号公報
【特許文献２】
特開平１１−２１５４６６号公報
【００１２】
【発明が解決しようとする課題】
しかしながら、番組録画機器により録画された番組のメニュー画面を表示するためには、番組録画機器及びテレビの電源を投入する、録画された番組のメニュー作成操作を行なう、及び作成されたメニュー画面を表示し希望する番組を選択するなどの複数の操作を行なう必要がある。
【００１３】
そして、テレビの電源を投入するときは、視聴希望の番組が開始されるときである場合などが多く、番組視聴の前にそのような煩雑な操作を行なうのは視聴者にとって好ましくない。
【００１４】
そこで、本発明は、上記問題を解決して、テレビの電源が投入されたときに、それまでに予約録画された番組を小画面により、視聴者が希望する放送受信番組と共に表示するようにし、放送番組の視聴を行いつつ録画番組に係る情報を提供し、不要な番組は消去できるようにし、限られた容量の記録媒体を好適に利用した放送番組の記録再生方法を提供することを目的とするものである。
【００１５】
【課題を解決するための手段】
本発明は、上記課題を解決するために、以下の手段より成るものである。
すなわち、
【００１６】
番組の放送時刻及び番組の内容を記述した電子番組表中に予め設定した番組の内容に関するキーワードが一致する番組を検出したときには、その検出した番組を録画予約して録画を行う放送番組記録再生装置と、前記放送番組記録再生装置で録画した番組及び／又は現在受信中の放送番組の表示を行なうための表示装置とを有する放送番組の記録再生表示システムに用いられる放送番組の記録再生方法であり、
前記表示装置の電源投入を検出する第１のステップ（９６、７５）と、
前記第１のステップの後に前記放送番組記録再生装置で前記表示装置の受信チャンネルと同一の受信チャンネルで放送番組を受信する第２のステップ（５１）と、
前記放送番組記録再生装置で受信している放送番組を前記表示装置の表示画面全体に表示させる映像信号を前記放送番組記録再生装置側から前記表示装置に供給する第３のステップ（７３）と、
前記第３ステップの後、前記記録再生装置で録画し終わっている放送番組の先頭部分を再生する第４のステップ（６５、６３）と、
前記第４のステップの後、再生されている録画番組の先頭部分の画像を、前記表示装置の表示画面よりも小として前記第２のステップで受信している放送番組の表示画面上にサムネイル画像として表示させる映像信号を前記放送番組記録再生装置側から前記表示装置に供給する第５のステップ（７３、７４）とを有し、
前記表示装置の、直前の電源投入時から今回の電源投入直前までに前記放送番組記録再生装置に録画された番組をサムネイル画像として表示するようになすことを特徴とする放送番組の記録再生方法。
【００１７】
【発明の実施の形態】
以下、本発明の実施の形態につき、好ましい実施例により、図面を参照して説明する。
図１に、放送番組記録再生装置の構成を例示する。
同図において、この放送番組記録再生装置４０は、記録部５０、媒体部６０、及び再生部７０より成り、再生部７０にはモニタＴＶ９０が接続されている。また、電源判定器７５にはモニタ電源検出器９６が接続され、リモコンインタフェース７８には発光ユニット９７が接続されると共に、ＴＶリモコン９４及びリモコン９５から発射される赤外光が受光されるようになっている。
【００１８】
そして、記録部５０は、ＴＶチューナ５１、Ａ／Ｄ変換器５２、ＭＰＥＧ−２エンコーダ５３、録画番組テーブル５４、バッファメモリ５５、及びＥＰＧ（Ｅｌｅｃｔｒｏｎｉｃ  Ｐｒｏｇｒａｍ  Ｇｕｉｄｅ）復号器５６より構成されている。また、媒体部６０はハードディスク記録再生器６１、ハードディスク６３、及び書き込み読み出し制御器６５より構成されている。さらに、再生部７０はバッファメモリ７１、ＭＰＥＧ−２デコーダ７２、ＯＳＤ（Ｏｎ  Ｓｃｒｅｅｎ  Ｄｉｓｐｌａｙ）７３、Ｄ／Ａ変換器７４、電源判定器７５、マイコン７６、一時記憶メモリ７７、リモコンインタフェース７８、及び電源部７９より構成されている。
【００１９】
次に、それらの構成による動作について概説する。
まず、ネットワークに接続されるＥＰＧ提供のサービスプロバイダに、嗜好する番組に係るジャンル、出演者などのキーワードを登録する。ＥＰＧ提供のサービスプロバイダは番組データベースからユーザの嗜好する番組を検索し、検索して得られる番組を録画予約するためのＥＰＧ情報を記録部５０のＥＰＧ復号器５６に通信ネットワークを介して伝送する。
【００２０】
そのＥＰＧ復号器５６では、暗号化されて伝送されたＥＰＧ情報が復号化され、復号化されて得られる録画予約情報はマイコン７６に制御されて録画番組テーブル５４に記憶される。
【００２１】
そして、録画番組テーブル５４に記述される録画予約時刻が近づいたとき、タイマーを有するマイコン７６によりその時刻の接近が検出され、ＴＶチューナ５１の受信チャンネルは録画番組テーブル５４に記述される受信チャンネルに設定される。
【００２２】
そして、録画開始時刻より、ＴＶチューナ５１により受信される映像信号はＡ／Ｄ変換器５２でディジタル信号に変換され、変換されて得られるディジタル映像信号はＭＰＥＧ−２エンコーダ５３に供給される。
【００２３】
そのＭＰＥＧ−２エンコーダ５３では、供給された信号がＩＳＯ／ＩＥＣ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ  ／  Ｉｎｔｅｒｎａｔｉｏｎａｌ  Ｅｌｅｃｔｒｏｔｅｃｈｎｉｃａｌ  Ｃｏｍｍｉｓｓｉｏｎ）で定められたＭＰＥＧ−２（ｍｏｖｉｎｇ  ｐｉｃｔｕｒｅ  ｅｘｐｅｒｔｓ  ｇｒｏｕｐ−  ２）標準規格に従って圧縮符号化処理され、その処理された信号はバッファメモリ５５に供給される。
【００２４】
そこに一時記憶された信号は媒体部６０のハードディスク記録再生器６１により読み出されて誤り信号の付加、及びディジタル変調がなされてハードディスク６３に記録される。
【００２５】
以上の方法により記録された放送番組は、ユーザが予めＥＰＧ提供のサービスプロバイダに登録したキーワードを基に予約されて、録画されたものであり、ユーザが不在のときなどに予約録画されたものである。そして、自動的に録画された番組名は、記録された番組一覧が提示されてユーザにより認識される。
【００２６】
次に、ユーザによる録画された番組の認識について述べる。
まず、ユーザが外出先から帰宅するなどにより、モニタＴＶ９０の電源が投入されたときに、その電源の投入を放送番組記録再生装置４０はモニタ電源検出器９６により検出する。
【００２７】
そのモニタ電源検出器９６により検出して得られた検出信号は電源判定器７５に供給されモニタの電源投入が認識される。そのときに、電源部７９の主電源がオフとなっているときには主電源をオンとする。
【００２８】
そして、ＴＶリモコン９４が操作されて受信チャンネルの選択がなされたときには、モニタＴＶ９０は選択されたチャンネルの放送を受信すると共に、リモコンインタフェース７８もＴＶリモコン９４の発する赤外光を受光し、ＴＶチューナ５１の受信チャンネルを選択されたチャンネルに合わせる。
【００２９】
そのＴＶチューナ５１により受信された映像信号はＡ／Ｄ変換器５２によりディジタル信号に変換され、その変換された信号はＯＳＤ７３に供給される。ＯＳＤ７３では、供給された映像信号を背景画とし、その信号に後記の小画面画像（以下、サムネイル画像と呼ぶこともある）を重畳したディジタル重畳化映像信号を生成して、Ｄ／Ａ変換器７４に供給する。
【００３０】
そのＤ／Ａ変換器７４から供給される、アナログ変換された重畳化映像信号はモニタＴＶ９０の外部入力端子に供給される。
次に、マイコン７６によりモニタＴＶ９０の表示画像を外部入力端子に切換えるための表示画像切換え信号を生成する。
【００３１】
生成された表示画像切換え信号はリモコンインタフェース７８により変調され、変調されて得られる変調信号は発光ユニット９７に供給される。そして、変調信号に従って発光される赤外光はモニタＴＶ９０のリモコン光受光部により受光され、モニタＴＶ９０で受像されていた放送信号は、その放送信号に小画面画像を重畳した重畳化映像信号に切換えられて、表示される。
【００３２】
次に、前記のサムネイル画像を多重した重畳化映像信号について述べる。
図２に、重畳化映像信号の表示例を示す。
同図に示すモニタＴＶ９０の表示画面は、ＴＶチューナ５１により受信して得られる映像信号にサムネイル画像を表示した画面である。
【００３３】
そして、サムネイル画像の表示位置は、同図左上に示す９２ａの位置、左下の９２ｂ、右上の９２ｃ、又は右下の９２ｄのいずれかが、ＴＶリモコン９４又はリモコン９５の矢印キーが操作されて、指定され、それらのいずれかの位置に表示される。
【００３４】
次に、表示されるサムネイル画像の生成について述べる。
サムネイル画像は、例えば前回のテレビ視聴後新たに自動録画された番組の代表個所が縮小画面により表示される。
【００３５】
図３にサムネイル画像の表示例を示す。
この表示例は、１つの自動録画された番組の最初の部分を一定時間表示する場合の例である。
【００３６】
その表示動作について、前述の図１を参照して説明する。
まず、モニタＴＶ９０の電源オンが電源判定器７５により判定されたときに、マイコン７６は録画番組テーブル５４に記述されるテーブルを参照し、モニタＴＶ９０が前回オンとされた以降の期間に自動録画された番組があることを検出する。
【００３７】
次に、マイコン７６は書き込み読み出し制御器６５に対して、自動録画された番組の最初の一定時間分を再生するようにハードディスク６３の書き込みアドレスを指定し、記録された信号の読み出しを開始する。
【００３８】
ハードディスク６３から読み出された信号はハードディスク記録再生器６１により増幅及び周波数応答特性などの補正が行われ、その補正された信号がデコーダ部７０のバッファメモリ７１に供給される。バッファメモリ７１では、その映像信号を一時記憶し、その一時記憶された信号はＭＰＥＧ−２デコーダ７２からの要求に応じてＭＰＥＧ−２デコーダ７２に供給される。
【００３９】
そのＭＰＥＧ−２デコーダ７２では、圧縮符号化された映像信号がＭＰＥＧ−２標準に基づいて復号化され、復号化して得られたディジタルビデオ信号はＯＳＤ（Ｏｎ  Ｓｃｒｅｅｎ  Ｄｉｓｐｌａｙ）７３に供給される。
【００４０】
そのＯＳＤ７３では、Ａ／Ｄ変換器５２から供給される受信中の映像信号画面９２上の、指定されるサムネイル表示位置に、ＭＰＥＧ−２デコーダ７２から供給される復号化映像信号を縮小して重畳する。
【００４１】
その表示が所定の一定時間を経過したときに、ハードディスクの読み出しを中止する。そして、サムネイル画像を表示していた個所を含め、ＴＶチューナ５１により受信される映像信号を全画面に表示する。
【００４２】
図４に、録画番組から間欠的に画像を得る場合のサムネイル画像の表示例を示す。
同図に示す（ａ）はハードディスクに記録された録画番組であり、（ｂ）はサムネイルとして表示される番組部分の集合である。即ち、サムネイル画像は、録画された番組を間欠的に表示するに際し、録画された番組を時間ｔ１の期間は表示し、ｔ２の期間はスキップする動作を繰り返して行うことにより、生成される。
【００４３】
その動作は、マイコン７６により録画番組テーブル５４に記述される録画情報を基に、ハードディスク６３が再生すべき記録媒体のアドレスを書き込み読み出し制御器６５に対して行うことにより実現できる。そして、図中に▲１▼、▲２▼、及び▲３▼として示す再生個所の最初の部分は、圧縮符号化された映像信号のうちフレーム内符号化された映像信号の最初の位置より再生するように指定される。
【００４４】
その指定により、ランダムアクセスの機能を有するハードディスクは▲１▼、▲２▼、及び▲３▼の記録部分を連続的に読み出すことができ、スムーズに繋がれたサムネイル再生映像を得ることができる。
【００４５】
図５に、記録した複数の録画番組に対するサムネイル画像の表示例を示す。
同図に示す（ｃ）はハードディスクに記録された複数の録画番組を示しており、それらの番組は▲４▼、▲５▼、▲６▼、及び▲７▼のそれぞれから開始される４つが記録されていることを示している。
【００４６】
そして、（ｄ）はサムネイル画面を▲４▼〜▲７▼の最初の部分を繋ぎ合わせて再生する表示例を示している。また（ｅ）は、（ｄ）に比してサムネイル表示する部分はそれぞれの番組の最初の部分であるが、再生される順は▲４▼、▲６▼、▲５▼、及び▲７▼の順である点で異なっている。
【００４７】
即ち、ハードディスク６３に記録された映像部分の読み出しは、再生信号を得るために必要なビット速度よりも速いビット速度で行われる。そして、読み出された信号はバファメモリ７１に一時記憶されるので、アクセス動作のための時間を必要とするような、例えば録画の順と異なる順により再生して表示するサムネイル画像の作成に対しても、連続的に再生したサムネイル映像を得ることができる。
【００４８】
なお、そのような複数の録画番組の順序を変更して提示するサムネイル画像は、記録された番組の内、ユーザの嗜好度が高い番組を最初に再生するように順を変更した方がユーザにとって好適である場合などに用いられる。
【００４９】
一方、▲４▼〜▲７▼が１つの番組により構成される場合であっても、再生順を変更して好適なサムネイル映像を作成することができる。例えば、放送時に付加データとして供給される番組補助信号などによりコンテなどが伝送されるときには、そのコンテに従った番組ストーリの展開を参照し、ユーザへの番組の提示順を並べ替える場合などである。
【００５０】
反対に、番組補助信号として放送内容に係る情報が提供される場合であって、ドラマや映画番組のストーリの都合上、プレビューしない方が良いとされる部分を予め知ることができ、その部分を省くことができれば、視聴上効果的なサムネイル映像を作成して提示することができる。
【００５１】
さらに、ニュース番組などでは、ニュースの項目毎にトピックスのみを抽出したプレビュー映像を作成することもできるため、単に録画番組の内容を通知するのみならず、ＣＭ（ｃｏｍｍｅｒｃｉａｌ  ｍｅｓｓａｇｅ）を効果的に挿入することも含めて、放送者及び視聴者にとって有効なサムネイル映像として作成し、提示することができるものである。
【００５２】
以上述べたように、前回のＴＶ電源がオンされた後に自動録画された放送番組があるときには、ユーザがテレビの電源を投入したときに自動録画された番組が縮小画面で視聴中の画面に重畳されたサムネイル画面として表示される。ユーザはその時点で自動録画された番組内容の概略を知ることができるため、自動予約録画された番組の視聴、又は消去に係る操作を必要に応じて行うことができる。
【００５３】
即ち、現在の番組視聴を中断して自動録画された番組を視聴する、現在の番組視聴後に自動録画番組を視聴する、又は自動録画した番組を消去しハードディスク６３の自動録画用領域を確保するなどの操作を遅滞なく行うことができる。
【００５４】
次に、上記のユーザにより操作されて行なわれる、モニタＴＶの電源投入を検出する方法について述べる。
図６に、モニタ電源検出器の配置例を示す。
【００５５】
同図において、壁コンセント９９に電源プラグ挿入口を有するモニタ電源検出器９６ａが挿入される。そして、モニタ電源検出器９６ａの一方の電源プラグ挿入口にはモニタＴＶの電源プラグ９８が、また他方の電源プラグ挿入口には放送番組記録再生装置の電源プラグ９１が挿入される。
【００５６】
図７に、モニタ電源検出器内部の接続図を示す。この図は、２本の導体で構成される電源回路の一方を示したものである。
同図において、壁コンセント９９に接続される導体９６３ａには導体９６３ｂが接続されており、その導体９６３ｂにより壁コンセント９９からの電流が電源プラグ９１を介して放送番組記録再生装置４０に供給される。
【００５７】
また、導体９６３ａには導体９６３ｃが接続されており、その導体９６３ｃを介し、壁コンセント９９からの電流が電源プラグ９８を通じてモニタＴＶ９０に供給される。
【００５８】
そして、導体９６３ｃには磁性体９６１が貫通されており、その磁性体９６１にはコイル９６２が巻かれている。また、そのコイルの両端は電源判定器７５に接続されるように、構成されている。
【００５９】
次に、そのモニタ電源検出器９６ａの動作について述べる。
まず、モニタＴＶ９０の電源がオフからオンにされたとき、導体９６３ａに電流が流れ始め、導体の周りには導体９６３ｃを流れる電流に従った磁力線が生じる。
【００６０】
その磁力線は、磁気抵抗の小さい磁性体９６１の中を流れる。そして、コイル９６２には磁性体９６１の中を流れる磁束の変化に従った電圧が発生され、発生された電圧は放送番組記録再生装置４０の電源判定器７５に供給される。
【００６１】
その電源判定器７５では、供給された電圧は図示しない増幅器により増幅され、増幅されて得られる信号電圧は図示しない整流器により整流され、整流されて得られる直流電圧が所定の電圧レベル以上となったときに、モニタＴＶ９０の電源がオンされたと判定されるようになっている。
【００６２】
そして、モニタＴＶ９０の電源がオンされたと判定されたときに、前述の受信される映像信号に自動録画された番組に係るサムネイル画像を重畳した映像がモニタＴＶ９０に供給され、表示されることにより、ユーザは自動録画された番組の概要を知ることができる。
【００６３】
以上、モニタ電源の投入を検出して自動録画された番組のサムネイル画像を表示する方法について述べた。そして、モニタＴＶの電源が投入されたことを検出するモニタ電源検出器９６は、モニタＴＶ９０に供給されるプラグ９８を流れる電流を検出する他に、モニタＴＶ９０から漏洩される水平走査により生じる交流電界を検出する方法、ＴＶ用リモコン９４が操作されて発生される赤外光をリモコンインタフェース７８により検出する方法によっても良く、更には放送番組記録再生装置４０が内蔵されるテレビ受信機の場合では、直接受信機部の電源回路より信号を得るようにしても良い。
【００６４】
更には、将来、家電機器がホームネットワークにより結合されるときには、そのネットワークを介してＴＶの電源オン、オフを検出することができる。そして、ユーザがテレビの視聴を開始したとされるときには、前回ＴＶの電源がオンとされた以降に記録された番組のサムネイル画像を、視聴中の番組に小画面で重畳して、表示することによりユーザに自動録画された番組の概要を知らしめることができる。
【００６５】
また、自動録画された番組を提示されたユーザは、その番組の嗜好度に応じて、例えば番組ライブラリーとして保存する、一週間後に自動消去する、１日後に消去する、又は視聴しないで消去するなどの保存／消去条件を指定するようにする。それによりハードディスク６３の記憶容量を有効に使用した録画を行うことができる。
【００６６】
次に、自動録画された番組のサムネイル画面を表示する放送番組記録再生装置の動作をフローチャートにより示し、更に述べる。
図８に、放送番組記録再生装置４０のサムネイル画像表示に係る基本動作を示す。
まず、Ｓ２０１（ステップ）において、ユーザによりモニタＴＶ９０の電源投入がなされたときは、Ｓ２０２において放送番組記録再生装置４０の電源部７９の電源がオンとなっているかの電源状態信号を得る。
【００６７】
その電源状態信号はＳ２０３においてチェックされ、オフとして検出されるときにはＳ２０４において放送番組記録再生装置４０の電源投入がなされ、オンとして検出されるときには次のＳ２０５の録画通知処理ルーチンが実行される。
【００６８】
その録画通知処理ルーチンの実行後に、Ｓ２０６で表示されたサムネイル画面の表示を中止し、自動録画された番組の提示に係る基本動作を終了する。
次に、録画通知処理ルーチンの動作について更に述べる。
【００６９】
図９に、録画通知処理ルーチンの動作をフローチャートにより示し、説明する。
まず、Ｓ３０１においてＴＶモニタ９０の電源が前回にオンにされた以降に新しく録画された番組があるかの情報を得る。
【００７０】
Ｓ３０２において、新しい録画番組があるとして検出されないときは録画処理のルーチンを終了する。そして、新規録画番組があるときには、Ｓ３０３においてその番組数をテキストデータによりマイコン７６に供給し、マイコン７６はその表示用画面を作成し、作成された表示用画面をＯＳＤ７３に供給する。
【００７１】
そして、テレビ画面に新規録画番組数を表示し、Ｓ３０４でそれらの番組のうちの１つのサムネイル画像再生を行う。そして、次のＳ３０５で、後記のマーキング処理ルーチンを行う。
【００７２】
次に、Ｓ３０６において、その番組のサムネイル再生を終了したことを示すマークを録画番組テーブル５４の該当する番組に付す、又はサムネイル映像がプレビュー画面として予め作成され、一時記憶メモリ７７などに一時記憶されているときには、その一時記憶されているサムネイル映像を消去する。
【００７３】
次に、Ｓ３０７においてサムネイル表示を行っていない未通知の録画番組があるかの情報を録画番組テーブル一覧５４より得る。そして、Ｓ３０８において、未通知の録画番組があるときにはＳ３０９により、Ｓ３０３からの動作が繰り返して実行される。その動作は、未通知の録画番組が無くなるまで繰り返され、その後録画通知処理のルーチンが終了される。
【００７４】
次に、前記のマーキング処理ルーチンについて述べる。
図１０に、マーキング処理ルーチンの動作をフローチャートにより示す。
まず、Ｓ４０１において、Ｓ３０４のサムネイル再生が継続されているか、又は終了したかの確認を行う。
【００７５】
そして、Ｓ４０２においてサムネイル映像の再生が終了していないときには、Ｓ４０３においてその番組に対する上記の保存及び消去に係るマーキング付加の操作がなされたかをチェックする。マーキング付加操作がなされていないときにはＳ４０１からの動作を繰り返し、マーキング付加操作がなされたときにはＳ４０４でサムネイル映像の表示を停止する。そして、マーキング処理ルーチンを終了する。
【００７６】
以上、自動予約録画された番組を、視聴番組の映像上に縮小画面により重畳してサムネイル映像として表示し、その表示されている番組に対する保存期間又は消去に係るマーキングを行う放送番組記録再生装置の構成と動作について述べた。
【００７７】
そして、放送番組録画装置４０により生成された自動録画された番組のサムネイル映像信号は、モニタＴＶ９０の電源がオンされたときにそのモニタＴＶ９０の外部映像信号入力端子に供給される。そして、モニタＴＶ９０側で、供給されるサムネイル映像に切換えて表示することにより、ユーザに自動録画された番組の情報が提供されるようになされている。
【００７８】
即ち、番組の放送時刻及び番組の内容についてキーワードを含んで記述される番組情報を複数番組について記述した放送番組データ記述情報より、予め設定したキーワードを用いて検索された番組情報を基に放送番組の録画予約を行い、その予約により録画された番組信号を再生して得られる映像信号を表示装置に供給するようになす放送番組の記録再生方法であって、
前記録画予約により予約番組の録画を行う第１のステップと、
前記表示装置の電源投入を検出する第２のステップと、
操作により選択された前記表示装置の受信チャンネルで受信して得られる受信映像信号、又は前記受信チャンネルと同一のチャンネルに設定される前記表示装置以外の受信手段により受信して得られる受信映像信号のうちのいずれか一方の信号を得る第３のステップと、
前記第１のステップで録画した信号を再生して得られる再生映像信号を小画面に変換し、及び前記受信映像信号に重畳して重畳化映像信号を生成する第４のステップと、
前記表示装置の表示画面を前記重畳化映像信号の画面に切換えるための表示切換え信号、及び前記重畳化映像信号を前記表示装置に供給する第５のステップと、
を有することを特徴とする放送番組の記録再生方法を実現することができる。
【００７９】
そして、番組の放送時刻及び番組の内容についてキーワードを含んで記述される番組情報を複数番組について記述した放送番組データ記述情報より、予め設定したキーワードを用いて検索された番組情報を基に放送番組の録画予約を行い、その予約により録画された番組信号を再生して得られる映像信号を表示装置に供給すると共に、録画された不要な番組信号を消去するようになす放送番組の記録再生方法であって、
前記録画予約により予約番組の録画を行う第１のステップと、
前記表示装置の電源投入を検出する第２のステップと、
操作により選択された前記表示装置の受信チャンネルで受信して得られる受信映像信号、又は前記受信チャンネルと同一のチャンネルに設定される前記表示装置以外の受信手段により受信して得られる受信映像信号のうちのいずれか一方の信号を得る第３のステップと、
前記第１のステップで録画した信号を再生して得られる再生映像信号を小画面に変換し、及び前記受信映像信号に重畳して重畳化映像信号を生成する第４のステップと、
前記表示装置の表示画面を前記重畳化映像信号の画面に切換えるための表示切換え信号、及び前記重畳化映像信号を前記表示装置に供給する第５のステップと、
その第５のステップで供給される前記重畳化映像信号を基にし、前記第１のステップで録画した信号の保存期間を操作により選定する第６のステップと、
その第６のステップで選定された保存期間を過ぎた、前記録画した番組信号を消去する第７のステップと、
を有することを特徴とする放送番組の記録再生方法を実現できる。
【００８０】
また、装置への応用に関しては、番組の放送時刻及び番組の内容についてキーワードを含んで記述される番組情報を複数番組について記述した放送番組データ記述情報より、予め設定したキーワードを用いて検索された番組情報を基に放送番組の録画予約を行い、その予約により録画された番組信号を再生して得られる映像信号を表示装置に供給するようになす放送番組記録再生装置であって、
前記録画予約により予約番組の録画を行う録画手段と、
前記表示装置の電源投入を検出する電源検出手段と、
操作により選択された前記表示装置の受信チャンネルで受信して得られる受信映像信号、又は前記受信チャンネルと同一のチャンネルに設定される前記表示装置以外の受信手段により受信して得られる受信映像信号のうちのいずれか一方の信号を得る信号受信手段と、
前記録画手段により録画した信号を再生して得られる再生映像信号を小画面に変換し、及び前記受信映像信号に重畳して重畳化映像信号を生成する重畳化映像信号生成手段と、
前記表示装置の表示画面を前記重畳化映像信号の画面に切換えるための表示切換え信号を生成する表示画面切換え信号生成手段と、
を具備して構成することを特徴とする放送番組記録再生装置を実現することができる。
【００８１】
さらに、番組の放送時刻及び番組の内容についてキーワードを含んで記述される番組情報を複数番組について記述した放送番組データ記述情報より、予め設定したキーワードを用いて検索された番組情報を基に放送番組の録画予約を行い、その予約により録画された番組信号を再生して得られる映像信号を表示装置に供給すると共に、録画された不要な番組信号を消去するようになす放送番組記録再生装置であって、
前記録画予約により予約番組の録画を行う録画手段と、
前記表示装置の電源投入を検出する電源検出手段と、
操作により選択された前記表示装置の受信チャンネルで受信して得られる受信映像信号、又は前記受信チャンネルと同一のチャンネルに設定される前記表示装置以外の受信手段により受信して得られる受信映像信号のうちのいずれか一方の信号を得る信号受信手段と、
前記録画手段により録画した信号を再生して得られる再生映像信号を小画面に変換し、及び前記受信映像信号に重畳して重畳化映像信号を生成する重畳化映像信号生成手段と、
前記表示装置の表示画面を前記重畳化映像信号の画面に切換えるための表示切換え信号、及び前記重畳化映像信号を前記表示装置に供給する信号供給手段と、
その信号供給手段により供給される前記重畳化映像信号を基にし、前記録画手段により録画した信号の保存期間を操作により選定する保存期間選定手段と、
その保存期間選定手段により選定された保存期間を過ぎた、前記録画した番組信号を消去する映像信号消去手段と、
を具備して構成することを特徴とする放送番組記録再生装置を実現することもできる。
【００８２】
そして、本実施例に示した放送番組の記録再生方法及び放送番組記録再生装置によれば、表示装置の電源投入を検出したときに選択された受信チャンネルの放送番組を受信して、映像信号を得ると共に、その得られた映像信号に、録画した映像信号を縮小画面に変換して重畳することにより重畳化映像信号を生成し、その生成された重畳化映像信号、及びその重畳化映像信号を表示するための表示切換え信号を表示装置に供給するようにしているため、視聴者は前回の表示装置の電源の投入後に自動予約されて記録された番組のサムネイル画面を、視聴者が希望する放送受信番組と共に視聴することができる放送番組の記録再生方法、及び放送番組記録再生装置の構成を提供できる。
【００８３】
さらに、表示される重畳化映像信号を基に、録画番組信号を保存する期間を選択し、その選択された保存期間を過ぎた番組信号を消去する機能を有する放送番組の記録再生方法及び装置の場合では、不要な番組は消去できるようにし、限られた容量の記録媒体を好適に利用する放送番組の記録再生方法及び放送番組記録装置の構成を提供することができる。
【００８４】
以上、自動録画予約により記録された番組を小画面により提示する方法及び構成について述べたが、ユーザにより手動入力された録画予約により記録された番組についても同様に応用できる。
【００８５】
即ち、ユーザに提示する録画番組の情報については、自動録画された番組の他に、ユーザにより、又は家族の人達により録画予約の操作がなされて録画された番組も併せて表示するようにしても良い。そして、ユーザにより設定され録画された番組を、前述の図１０に示したマーキング処理の対象番組とするか、否かは設計事項である。従って、放送番組録画装置４０はその初期動作設定で、ユーザの好む方が選択されるようにしておくと良い。
【００８６】
そして、放送番組録画装置４０がモニタＴＶ９０に内蔵された、例えばハードディスク録画装置内蔵形受信装置の場合であって、ユーザが放映中の番組を視聴するときに受像機部の電源を操作して行なう機能を有する場合には、受像機部の電源がオンされたことを検出し、さらに受信機部の図示しないチューナにより受信して得られる受信映像信号に、自動録画された番組のサムネイル画像を縮小画により重畳して表示するように構成できる。
【００８７】
また、録画装置に使用する記録媒体はハードディスク６３を用いる場合について述べたが、記録媒体はそれに限ることなく、例えばＤＶＤ−ＲＷ、ＤＶＤ−ＲＡＭ、及び光磁気ディスクなどランダムアクセス性の優れた記録媒体を用いてもよく、そのときにも間欠再生映像を容易に作成することができる。
【００８８】
さらに、ＶＨＳビデオテープ、及びＤ−ＶＨＳテープなどのリニア記録媒体を用いて放送番組記録再生装置４０を構成するときには、番組録画時にサムネイル映像を作成し、それを録画番組テーブル５４に記録する、又は一時記憶メモリ７７に記憶しておくことにより、前述の図５に示したサムネイル映像の再生を行うことが出来る。
【００８９】
また、記録媒体に記録する信号は、ディジタル映像信号に対してＭＰＥＧ−２方式による圧縮符号化を施した信号であるとして述べたが、その他の圧縮方式により符号化された信号であっても構わない。
【００９０】
さらに、アナログ放送をディジタル信号に変換して圧縮符号化を行う場合について述べたが、ディジタル放送を受信して記録する放送番組記録再生装置の場合では、圧縮符号化されたディジタル映像信号をバッファメモリ５５に供給するようにして放送番組記録再生装置を構成することができる。
【００９１】
【発明の効果】
本発明の放送番組の記録再生方法によれば、予め設定したキーワードを基に自動録画予約して録画を行う放送番組記録再生装置と、その録画された番組及び現在放送されている放送番組の視聴を行なうための表示装置とを有してなる放送番組の記録再生表示システムに用いられる放送番組の記録再生方法を、表示装置の電源投入を検出し、放送番組記録再生装置で放送番組が受信表示されるときには放送番組を表示画面全体に表示させると共に、表示画面中に部分画面領域を設定し、そこに自動番組録画予約により録画された番組をサムネイル画像で表示させるようにしているため、使用者は表示装置の電源投入前に記録した番組のサムネイル画面を、使用者が希望する放送受信番組と共に表示することができ、不要な番組が録画されたときにはその番組の消去ができるなど、限られた容量の記録媒体を好適に利用して行う放送番組の記録再生方法を提供できる効果がある。
【図面の簡単な説明】
【図１】本発明の、放送番組記録再生装置の構成例を示した図である。
【図２】本発明の、重畳化映像信号の表示場所を例示した図である。
【図３】本発明の、サムネイル画像の表示例を示した図である。
【図４】本発明の、録画番組から間欠的に画像を得る場合のサムネイル画像の表示例を示した図である。
【図５】本発明の、複数記録した録画番組に対するサムネイル画像の表示例を示した図である。
【図６】本発明の、モニタ電源検出器の接続例を個別に配置して示した図である。
【図７】本発明の、モニタ電源検出器内部の接続を例示した図である。
【図８】本発明の、放送番組記録再生装置の基本動作をフローチャートにより例示したものである。
【図９】本発明の、放送番組記録再生装置の録画通知処理ルーチンの動作をフローチャートにより例示したものである。
【図１０】本発明の、放送番組記録再生装置のマーキング処理ルーチンの動作をフローチャートにより例示したものである。
【符号の説明】
４０  放送番組記録再生装置
５０  記録部
５１  ＴＶチューナ
５２  Ａ／Ｄ変換器
５３  ＭＰＥＧ−２エンコーダ
５４  録画番組テーブル
５５  バッファメモリ
５６  ＥＰＧ復号器
６０  媒体部
６１  ハードディスク記録再生器
６３  ハードディスク
６５  書き込み読み出し制御器
７０  再生部
７１  バッファメモリ
７２  ＭＰＥＧ−２デコーダ
７３  ＯＳＤ
７４  Ｄ／Ａ変換器
７５  電源判定器
７６  マイコン
７７  一時記憶メモリ
７８  リモコンインタフェース
７９  電源部
９０  モニタＴＶ
９１、９８  電源プラグ
９２ａ、９２ｂ、９２ｃ、９２ｄ  小画面
９４  ＴＶリモコン
９５  リモコン
９６、９６ａ  モニタ電源検出器
９７  発光ユニット
９９  壁コンセント
９６１  磁性体
９６２  コイル
９６３ａ、９６３ｂ、９６３ｃ  導体
【図１】
2004214853.tif 000003
【図２】
2004214853.tif 000004
【図３】
2004214853.tif 000005
【図４】
2004214853.tif 000006
【図５】
2004214853.tif 000007
【図６】
2004214853.tif 000008
【図７】
2004214853.tif 000009
【図８】
2004214853.tif 000010
【図９】
2004214853.tif 000011
【図１０】
2004214853.tif 000012